(57)【要約】    【課題】  海洋深層水の特性を生かした新規な入浴剤などの化粧品類を提供する。    【解決手段】  水にキトサンと、選択的にＬ−乳酸，Ｌ−アスコルビン酸，又は／及びフミン酸を溶解して含有する。水にキトサンを溶解して含有することによって、水の浄化、殺菌効果や、肌の保湿、保水、抗菌、炎症抑制効果などを有する新規な化粧品類，水処理剤又は脱臭剤を提供することができる。Ｌ−乳酸，Ｌ−アスコルビン酸，又は／及びフミン酸を溶解して含有することによって、キトサンの溶解度を増加できるとともに、殺菌効果を増強し、肌の美白効果などを加味することができる。【選択図】  なし【特許請求の範囲】
【請求項１】
水にキトサンと、選択的にＬ−乳酸，Ｌ−アスコルビン酸，又は／及びフミン酸を溶解して含有することを特徴とする化粧品類。
【請求項２】
前記水は海洋深層水であることを特徴とする請求項１記載の化粧品類。
【請求項３】
水にキトサンと、選択的にＬ−乳酸，Ｌ−アスコルビン酸，又は／及びフミン酸を溶解して含有することを特徴とする水処理剤。
【請求項４】
水にキトサンと、選択的にＬ−乳酸，Ｌ−アスコルビン酸，又は／及びフミン酸を溶解して含有することを特徴とする脱臭剤。
【発明の詳細な説明】
【技術分野】
【０００１】
本発明は、化粧品類、水処理剤、及び脱臭剤に関し、特に海洋深層水を使用した化粧品類、水処理剤、及び脱臭剤に関する。
【背景技術】
【０００２】
近年、太陽光線が届かない水深２００〜３００ｍ以深の海洋深層水が注目されている。海洋深層水中では、植物プランクトンによる光合成は行なわれず、バクテリアの分解力によって無機栄養塩が蓄積され、植物の成長に欠かせない硝酸塩やリン酸塩等の栄養分が豊富になっている。また、太陽光が届かないため、水温は年間を通じて低く安定している。特に佐渡海峡の海洋深層水は「日本海固有水」と呼ばれ、太平洋側の海洋深層水に比べて水温が１℃前後と非常に冷たいことが特徴となっている。さらに、海洋深層水は、比重が異なる表層の海水とは混じらず、陸上や大気からの有害な人工汚染物が少なく、細菌や有機物の数も非常に少なくなっており、清浄性が保たれている。なお、地球上に存在する海水の約９５％が海洋深層水であり、さらに海流循環によって自然再生されるため、これからの資源として注目されている。
【０００３】
このように、海洋深層水の特性として、清浄性、低温安定性、富栄養性があるが、その他に、熟成性、ミネラル特性を有することが知られている。海洋深層水は水圧２０気圧以上の高圧下で長い年月をかけて熟成されており、化粧品に用いると肌への浸透が良く、食品に用いると味がまろやかになるといった点は、この熟成性に関連しているのではないかといわれている。また、海水には、カルシウム、マグネシウム、鉄、亜鉛、ナトリウムなど、生物が生きていく上で必要な必須微量元素やミネラルがバランスよく含まれている。
【０００４】
このような優れた特性により、海洋深層水は水産分野をはじめ、食品、飲料、健康、美容、医療などの分野で、すでに多彩な利活用がはじまっており、環境悪化、資源の枯渇などの問題や、健康志向に伴って、海洋深層水の利活用は今後ますます広がっていくことが予想される。
【０００５】
なお、例えば入浴剤への海洋深層水の利用については、無機塩類や水溶性高分子に海水とヒノキチオールなどを添加したもの（特許文献１）や、コーラルサンドと海水など使用したもの（特許文献２）が知られているが、従来の入浴剤としての固形状や粉末状の基本成分に少量の海水を添加するものであって、上記海洋深層水の特性を充分に生かしたものとはなっていなかった。
【特許文献１】特開平１０−１８２４２４号公報
【特許文献２】特開２００１−１０６６２２号公報
【発明の開示】
【発明が解決しようとする課題】
【０００６】
そこで本発明は、海洋深層水の特性を生かした新規な入浴剤などの化粧品類を提供することをその目的とする。
【課題を解決するための手段】
【０００７】
本発明者らは、海洋深層水の特性を生かした新規な入浴剤などの化粧品類を提供するために鋭意研究を行なった結果、海洋深層水にキトサンを溶解させることで、優れた水の浄化、殺菌効果や、肌の美白、保湿、保水、抗菌、炎症抑制効果などを有する水溶液が得られることを見出した。また、この水溶液にＬ−乳酸，Ｌ−アスコルビン酸やフミン酸を添加することによって、キトサンの溶解度を増加できるとともに、殺菌効果と肌の美白効果を増強できることを見出した。さらに、海洋深層水の代わりに精製水などを用いた場合でも、水の浄化などの作用が得られ、化粧品類以外でも水処理剤，脱臭剤などに用いることができることを見出し、本発明に想到した。
【０００８】
本発明の請求項１記載の化粧品類は、水にキトサンと、選択的にＬ−乳酸，Ｌ−アスコルビン酸，又は／及びフミン酸を溶解して含有する特徴とする。
【０００９】
本発明の請求項２記載の化粧品類は、請求項１において、前記水は海洋深層水であることを特徴とする。
【００１０】
本発明の請求項３記載の水処理剤は、水にキトサンと、選択的にＬ−乳酸，Ｌ−アスコルビン酸，又は／及びフミン酸を溶解して含有することを特徴とする。
【００１１】
本発明の請求項４記載の脱臭剤は、水にキトサンと、選択的にＬ−乳酸，Ｌ−アスコルビン酸，又は／及びフミン酸を溶解して含有することを特徴とする。
【発明の効果】
【００１２】
本発明の請求項１における化粧品類では、水にキトサンを溶解して含有することによって、水の浄化、殺菌効果や、肌の保湿、保水、抗菌、炎症抑制効果などを有する新規な化粧品類を提供することができる。また、Ｌ−乳酸，Ｌ−アスコルビン酸，又は／及びフミン酸を溶解して含有することによって、キトサンの溶解度を増加できるとともに、殺菌効果を増強し、肌の美白効果を加味した新規な化粧品類を提供することができる。
【００１３】
本発明の請求項２における化粧品類では、海洋深層水の清浄性、富栄養性、熟成性、ミネラル特性などの特性を充分に生かした新規な化粧品類を提供することができる。
【００１４】
本発明の請求項３における水処理剤では、水にキトサンを溶解して含有することによって、水の浄化、抗菌効果などを有する新規な水処理剤を提供することができる。また、Ｌ−乳酸，Ｌ−アスコルビン酸，又は／及びフミン酸を溶解して含有することによって、キトサンの溶解度を増加できるとともに、殺菌効果を増強した新規な水処理剤を提供することができる。
【００１５】
本発明の請求項４における脱臭剤では、水にキトサンを溶解して含有することによって、抗菌効果などを有する新規な脱臭剤を提供することができる。また、Ｌ−乳酸，Ｌ−アスコルビン酸，又は／及びフミン酸を溶解して含有することによって、キトサンの溶解度を増加できるとともに、殺菌効果を増強した新規な脱臭剤を提供することができる。
【発明を実施するための最良の形態】
【００１６】
以下、本発明の化粧品類，水処理剤又は脱臭剤について詳細に説明する。
【００１７】
本発明でいう化粧品類とは、化粧水，入浴剤，毛髪用スプレー，消臭剤，石鹸，シャンプー，リンス，歯磨きなどを含む化粧品類全般のことをいう。なお、水溶液だけでなく油分，界面活性剤，香料などの化粧品に通常含まれる成分を含んでもよい。
【００１８】
また、本発明でいう水処理剤とは、プール用殺菌剤，プール用水浄化剤，上水道用水処理剤，工業用水処理剤，都市下水処理剤，工場廃水処理剤などのことをいう。
【００１９】
また、本発明でいう脱臭剤とは、一般に用いられる脱臭剤全般のことをいうが、本発明の脱臭剤は、特に、台所，トイレ，居間，寝室、あるいは衣類，靴，布団，その他の身の回り品などに用いられるスプレー式脱臭剤やスプレー式殺菌剤として好適に用いられる。
【００２０】
本発明で用いる水としては、地下水，精製水，ミネラルウォーターなどの真水，海洋表層水、海洋深層水などの海水の何れも用いることができる。なお、海洋深層水は、清浄性、富栄養性、熟成性、ミネラル特性に優れるため、本発明に用いる海水としてより好ましく用いられる。
【００２１】
本発明で用いるキトサンとしては、カニ，エビなどの甲殻類や貝類に含まれるキチンを脱アセチル化処理して抽出，精製したものである。一般に脱アセチル化の度合いが６０％以上のものをキトサンと呼ぶが、脱アセチル化の度合いが６０％未満のものでも用いることができる。なお、一般的に、キトサンには脱アセチル化されなかったキチンが２０％程度含まれている。また、本発明で用いられるキトサンとしては、分子量１０，０００以下の比較的低分子量の水溶性キトサンが好適に用いられる。なお、分子量１０，０００を超える高分子量のキトサンであっても、アスコルビン酸，乳酸，フミン酸，酢酸，クエン酸などの弱酸性物質を添加することによって、水に溶解させることができるので、高分子量のキトサンも用いることができる。
【００２２】
キトサンは、唯一の動物性由来の食物繊維であり、生体に対して無害で安全性が高く、天然の防腐剤としての効果がある。また、保湿，保水効果を有し、細胞間隙に水を保持して皮膚の滑らかさとしなやかさを保つ効果のあるヒアロン酸の１．５〜２倍の保湿効果がある。また、殺菌，抗菌作用があり、天然の防腐性能による働きで、大腸菌，黄色ブドウ球菌，緑膿菌，レジオネラ菌などに対しての殺菌，抗菌力があり、コンディショニング効果で菌をコントロールして肌を守る効果がある。また、水中での異物を固める凝集性があり、汚濁水の浄化にも用いられる。また、分子構造上、アミノ基が非常に活発化しているため、貴金属，放射線物質，塩素などの有害物質に化学的に接触，接着，化合することによって吸着する作用がある。なお、銅，亜鉛，カドミウム，水銀，ウラニウムなどの重金属をよく吸着し、マグネシウム，カルシウムなどは吸着しない。また、医療で殺菌作用の認められる成分が含まれているほか、生体親和性が高く鎮痛効果，止血効果があり、炎症を抑制して皮膚炎，湿疹，ニキビ，火傷などの傷の治りを早める効果がある。
【００２３】
本発明の化粧品類，水処理剤又は脱臭剤には、選択的にＬ−乳酸，Ｌ−アスコルビン酸，又は／及びフミン酸を添加する。これらを添加することによって水が弱酸性となり、水へのキトサンの溶解が容易となる。なお、キトサンを添加する前にＬ−乳酸，Ｌ−アスコルビン酸，又は／及びフミン酸を添加するとキトサンの溶解がより容易になる。また、Ｌ−乳酸は、防腐，抗菌作用があり、Ｌ−アスコルビン酸は、肌の美白効果、すなわち、メラニン色素を抑えてしみ，そばかすを防止する作用があり、フミン酸は水の浄化作用がある。なお、Ｌ−乳酸，Ｌ−アスコルビン酸，フミン酸は、選択的に添加するものであるが、好ましくは１種類以上を添加する。また、１種類のみ添加する場合は、酸の安定性などを考慮するとＬ−乳酸を添加するのが好ましい。
【００２４】
つぎに、本発明の化粧品類，水処理剤又は脱臭剤の調製方法について説明する。
【００２５】
はじめに、水を加熱し、沸騰したら加熱を止めて常温まで冷却する。なお、この水の加熱は殺菌のために行なうものであり、省略してもよい。つぎに、この水を濾過して、不溶物を除去する。そして、選択的にＬ−乳酸，Ｌ−アスコルビン酸，又は／及びフミン酸を添加、攪拌して海水に溶解させ、その後、キトサンを添加、攪拌して溶解させる。そして、しばらく攪拌、放置したのち、濾過して不溶物を除去し、つづいて７０℃程度で数時間加熱し、濾過する。なお、この加熱，濾過は省略可能である。その後、さらに濾過し、常温まで冷却する。以上の方法で、本発明の化粧品類，水処理剤又は脱臭剤が得られる。なお、この化粧品類，水処理剤又は脱臭剤はこのまま用いてもよく、または、必要に応じて油分，界面活性剤，香料などの成分を添加して製品としてもよい。
【００２６】
上記のようにして得られた本発明の化粧品類を入浴剤として用いる場合は、適当量、浴槽などの水に添加することによって、水が浄化される。すなわち、本発明の入浴剤を添加することによって、水道水中の残留塩素が吸着されるとともに、塩素除去により塩素ガス等の悪臭が除去される。また、マグネシウム，カルシウムなどは吸着されないが、銅，亜鉛，カドミウム，水銀，ウラニウムなどの重金属がよく吸着され、さらに、水中での異物が凝集される。また、本発明の入浴剤は、天然の防腐性能による働きで、大腸菌，黄色ブドウ球菌，緑膿菌，レジオネラ菌などに対しての抗菌力を有し、抗カビ，殺菌作用をも有する。
【００２７】
美容面では、メラニン色素を抑えてしみ，そばかすを防止する肌の美白効果があり、細胞間隙に水を保持して皮膚の滑らかさとしなやかさを保つ効果のあるヒアロン酸の１．５〜２倍の保湿，保水効果がある。また、天然の防腐性能による働きで、大腸菌，黄色ブドウ球菌，緑膿菌，レジオネラ菌などに対しての抗菌力があり、コンディショニング効果で菌をコントロールして肌を守る効果がある。さらに、本発明の入浴剤に含まれる成分が真皮に働きかけ、肌の弾力性が増し、しわ，たるみを防止する。また、生体親和性が高く鎮痛効果，止血効果があり、炎症を抑制して皮膚炎，湿疹，ニキビ，火傷などの傷の治りを早める効果を有する。なお、本発明の入浴剤は天然成分のみから調製されているので、人体に対して全く無害で安全である。
【００２８】
以上のような効果は、入浴剤以外の化粧水，入浴剤，毛髪用スプレー，消臭剤，石鹸，シャンプー，リンス，歯磨きなどに使用した場合にも得られる。また、パーマ後の髪にスプレーすれば、パーマ液の臭いを消し、髪のはりやつやを増すことができる。なお、スプレーする代わりにパーマ液にはじめから配合しておいても、パーマ液の臭いを消し、髪のはりやつやを増すことができる。
【００２９】
また、上記のようにして得られた本発明の水処理剤をプール用殺菌剤，プール用水浄化剤として用いる場合は、適当量、プールの水に添加することによって、水中の殺菌が行なわれる。本発明の水処理剤に含まれるキトサンにより、従来のプール用殺菌剤としての次亜塩素酸ナトリウムと同等の殺菌効果が得られる。また、キトサンは人体に無害であるため、次亜塩素酸ナトリウムを用いる場合と比較して安全である。さらに、上述のように水を浄化する作用と、美容面における効果を有するので、従来にはない非常に優れたプール用殺菌剤，プール用水浄化剤を提供できる。
【００３０】
また、上記のようにして得られた本発明の脱臭剤を用いる場合は、脱臭したい箇所にスプレーなどをすれば、本発明の脱臭剤に含まれるキトサンによって効果的に脱臭される。
【００３１】
なお、本発明は上記実施例に限定されるものではなく、種々の変形実施が可能である。
【実施例１】
【００３２】
以下の具体的実施例により、本発明をさらに詳細に説明する。本実施例では、プール用殺菌剤，プール用水浄化剤の調製の一例を示す。
【００３３】
佐渡の畑野町沖の水深３００ｍから採取した海洋深層水を加熱して沸騰させ、その後、そのまま放置して常温まで冷却し、原水とした。
【００３４】
つぎに、この原水をフィルター（アドバンテック，４Ａ）に通して不溶物を除去し、原水１ｌあたり、Ｌ−乳酸０．７０ｇとＬ−アスコルビン酸３．６７ｇを添加し、マグネットミキサーを用いて１分間攪拌してこれを溶解した。つぎに、キトサン（和光純薬製，脱アセチル化率（乾燥後）８０．０ｍｏｌ％以上，分子量約１０００）２．００ｇを添加して、キトサンがダマにならないようにマグミキサーで２〜３分間弱く攪拌し、溶解した。そして、引き続きマグミキサーを用いて３０〜６０分間強く攪拌し、その後、１時間放置した。そして、これをフィルターに通し、７０℃で２時間加熱し、その後、再びフィルターに通し、常温まで冷却した。その後、もう一度フィルターに通すことで、黄色透明で液状のプール用殺菌剤，プール用水浄化剤を得た。これを容器に充填して製品とする。また、プール用殺菌剤，プール用水浄化剤を容器に充填しないで保管しておいた場合は、出荷する寸前にもう一度フィルターに通してから容器に充填して製品とすればよい。
【００３５】
なお、プール用殺菌剤，プール用水浄化剤以外の用途に用いる場合には、上記原水とプール用殺菌剤，プール用水浄化剤を適当な比率で混合してキトサン等の濃度を薄めて用いてもよい。上記原水とプール用殺菌剤，プール用水浄化剤を混合する場合は、超音波を用いて原水とプール用殺菌剤，プール用水浄化剤をよく混合して、さらにフィルターに通してから容器に充填すればよい。
【実施例２】
【００３６】
上記実施例１のプール用殺菌剤，プール用水浄化剤を用いて、水道水中の残留塩素の除去試験を行なった。本試験では、塩素の代わりになるヨードチンキに含まれるヨウ素を除去することができるかどうかを見た。
【００３７】
水道水１０ｍｌにヨードチンキ０．２ｍｌを入れると、黄色に着色した。これに実施例１のプール用殺菌剤，プール用水浄化剤０．５ｍｌを添加したところ、瞬時に透明になった。この試験により、本発明のプール用殺菌剤，プール用水浄化剤には塩素除去効果があることが確認された。
【実施例３】
【００３８】
上記実施例１のプール用殺菌剤，プール用水浄化剤を用いて、塩素の除去試験を行なった。
【００３９】
塩素濃度０．９１ｍｇ／ｌの水１ｌに実施例１のプール用殺菌剤，プール用水浄化剤１ｍｌを投入し、塩素濃度の変動を測定した（塩素濃度測定機：東亜ディーケーケー製，ＲＣ−２４Ｐ残留塩素計）。なお、塩素濃度１．０８ｍｇ／ｌの水１ｌのみでプール用殺菌剤，プール用水浄化剤を添加しないものについても、塩素濃度の変動を測定した。その測定結果の数値を表１，表２に、グラフを図１に示す。
【００４０】
実施例１のプール用殺菌剤，プール用水浄化剤を投入した方は顕著な塩素濃度の減少が認められたが、投入しなかった方は、塩素濃度の減少は全く認められなかった。この結果より、本発明のプール用殺菌剤，プール用水浄化剤には塩素除去効果があることが確認された。
【００４１】
【表１】
2005139103.tif 000002
【００４２】
【表２】
2005139103.tif 000003
【実施例４】
【００４３】
上記実施例１のプール用殺菌剤，プール用水浄化剤を用いて、汚濁除去試験を行なった。本試験では、汚濁水にフィルターを入れて空気を当て、汚れをフィルターに吸い付かせる曝気試験により、水の浄化作用を見た。
【００４４】
汚濁水２００ｍｌに実施利１のプール用殺菌剤，プール用水浄化剤１ｐｐｍを入れて、汚濁水中に浸したフィルターを通してエアポンプ（一般の観賞魚水槽用のエアポンプ）で空気を流して曝気した。実施例１のプール用殺菌剤，プール用水浄化剤を入れた場合、汚れがフィルターに吸い付き、１０分間の曝気により完全に透き通った水になった。プール用殺菌剤，プール用水浄化剤を入れなかった場合は、変化は見られず、水は濁ったままであった。この試験により、本発明のプール用殺菌剤，プール用水浄化剤には汚濁水の浄化作用があることが確認された。
【図面の簡単な説明】
【００４５】
【図１】実施例３における塩素濃度の変動を示すグラフである。
【図１】
2005139103.tif 000004